(57)【要約】【課題】　複数の種類の異なる伝送メディアを複合的に利用して、より効率のよいデータの送受信を実現できるデータ送受信システムを提供する。【解決手段】　データを、計算機ネットワーク（ＮＷ）回線または放送を介して受信装置で受信して取得するデータ送受信システムにおいて、放送データ提供者が、放送提供データに関し、該データの識別子と関連付けられた該データの放送チャンネル，放送時間を示す情報をデータの付加情報として放送し、かつＮＷ回線提供データに関し、該データの識別子と関連付けられた該データのＮＷ上における配置を示す記述を放送し、ＮＷ回線データ提供者が、ＮＷ回線提供データに関し、該データの識別子と関連付けられた該データのＮＷ上における配置を示す記述をＮＷ回線上に送出し、かつ放送提供データに関し、該データの識別子と関連付けられた該データの提供者を示す情報をＮＷ回線上に送出する。【選択図】　　　　図２
2004120749.tif 000002
【特許請求の範囲】
【請求項１】
　データ提供者が提供するデータを、データ利用者が計算機ネットワークの回線または放送を介して受信装置で受信して取得するデータ送受信システムにおいて、
　放送を介してデータを提供するデータ提供者が、放送を介して提供するデータに関し、当該データの識別子と関連付けられた当該データの放送チャンネル，および放送時間を示す情報をデータの付加情報として放送し、かつ計算機ネットワークの回線を介して提供されるデータに関し、当該データの識別子と関連付けられた当該データの計算機ネットワーク上における配置を示す記述を放送し、
　計算機ネットワークの回線を介してデータを提供するデータ提供者が、計算機ネットワークの回線を介して提供するデータに関し、当該データの識別子と関連付けられた当該データの計算機ネットワーク上における配置を示す記述を計算機ネットワークの回線上に送出し、かつ放送を介して提供されるデータに関し、当該データの識別子と関連付けられた当該データの提供者を示す情報を計算機ネットワークの回線上に送出することを特徴とするデータ送受信システム。
【発明の詳細な説明】
【技術分野】
【０００１】
　この発明は、データ提供者から送信されたデータを情報伝達網を介してデータ利用者が受信装置で受信して取得するデータ送受信システム、およびこのデータ送受信システムで用いられるデータ受信装置に関するものである。
【背景技術】
【０００２】
　データ提供者が提供するデータをデータ利用者に伝達するシステムとしては、パソコン等の計算機によるネットワークのように、利用者からのアクセスに応じてデータ提供者がユーザ装置に対して、公衆電話回線等を介してデータを提供するシステムがあり、また、テレビジョン放送でデータ情報を通常の番組に多重化して送信するデータ放送システムがある。
【０００３】
　テレビジョン放送におけるデータ放送では、放送局において放送データ中に計算機ネットワークで提供されるデータと同じハイパーメディアデータを多重化して送信し、広域な計算機のネットワーク接続によって得られるのと同等の情報を利用者がテレビジョン受像機による放送波の受信によって得るというシステムも提案されている。
【０００４】
　ここで、放送による送信は高速かつ安価であるという利点を有するが、個々の利用者の要求に応じて送信するのではなく、また計算機ネットワーク全域にわたって得られる膨大な量のデータの全てを送信することはできないという限界がある。
【０００５】
　一方、ネットワーク接続によるデータへのアクセスは通信コストが高いという課題をもっている。
【０００６】
　従来の放送提供システムとして、たとえば特開平８−３２５３４号公報には、複数のデータ（情報）提供者が提供するデータを一つのサービス提供センタに集中させ、このサービス提供センタが、提供するデータの種類によって数種の情報伝達網の何れを用いて提供するかを振り分けることにより、データ利用者に対して所定のデータを低コストで効率良く提供するようにしたものが開示されている。この従来例では、データ利用者に提供するデータ（情報）が大量である場合や、データが不特定の利用者に提供するデータである場合には、データを高速の情報伝達網（放送衛星または通信衛星を用いた情報伝達網，地上波放送，ＣＡＴＶ）を用いて送信し、提供するデータが比較的少量の場合や、データが特定の利用者に提供するデータである場合には、低速の情報伝達網（公衆電話回線等の公衆通信回線網）を用いて送信するようにしている。
【特許文献１】特開平８−３２５３４号公報
【発明の開示】
【発明が解決しようとする課題】
【０００７】
　従来のシステムでは、データの送信をその種類によって、これを高速の情報伝達網（放送衛星または通信衛星を用いた情報伝達網，地上波放送，ＣＡＴＶ）を用いて送信するか、低速の情報伝達網（公衆電話回線等の公衆通信回線網）を用いて送信するかを振り分けることにより、効率よく低コストでデータを利用者に提供することを可能としている。しかし、この従来例による情報提供システムでは、あるデータはその種類によって高速の情報伝達網，あるいは低速の情報伝達網の何れか一方で送信するようにしており、データ利用者は特定のデータについては複数の情報伝達網の何れか一つによって得ることができるが、たとえば計算機ネットワーク回線からの情報で放送を介して提供されるデータの所在を知ることはできず、また放送を介しての情報から計算機ネットワーク回線を介して提供されるデータの所在を知ることはできないため、所望のデータを取得する上で不便であるという問題があった。
【０００８】
　また、上記文献では、同一のデータを高速の情報伝達網と低速の情報伝達網の両方から異なる条件で取得できる可能性については何ら言及されておらず、同一のデータが計算機ネットワーク回線，及びテレビジョン放送の両方で提供される場合に効率良くデータを取得できるデータ受信装置は現在では存在しないという問題があった。
【０００９】
　この発明は、上記のような問題を解消するためになされたものであり、複数の種類の異なる伝送メディアを複合的に利用して、より効率のよいデータの送受信を実現できるデータ送受信システム，およびこのデータ送受信システムで使用されるデータ受信装置を提供することを目的とする。
【課題を解決するための手段】
【００１０】
　上記課題を解決するために、第１の発明によるデータ送受信システムは、データ提供者が提供するデータを、データ利用者が計算機ネットワークの回線または放送を介して受信装置で受信して取得するデータ送受信システムにおいて、放送を介してデータを提供するデータ提供者が、放送を介して提供するデータに関し、当該データの識別子と関連付けられた当該データの放送チャンネル，および放送時間を示す情報をデータの付加情報として放送し、かつ計算機ネットワークの回線を介して提供されるデータに関し、当該データの識別子と関連付けられた当該データの計算機ネットワーク上における配置を示す記述を放送し、計算機ネットワークの回線を介してデータを提供するデータ提供者が、計算機ネットワークの回線を介して提供するデータに関し、当該データの識別子と関連付けられた当該データの計算機ネットワーク上における配置を示す記述を計算機ネットワークの回線上に送出し、かつ放送を介して提供されるデータに関し、当該データの識別子と関連付けられた当該データの提供者を示す情報を計算機ネットワークの回線上に送出するものである。
【００１１】
　また、第２の発明によるデータ受信装置は、データ提供者が提供するデータを、計算機ネットワークの回線または放送を介して受信可能なデータ受信装置において、放送を介してデータを提供するデータ提供者が放送する、計算機ネットワークの回線を介して提供されるデータに関する情報である、当該データの識別子と関連付けられた当該データの計算機ネットワーク上における配置，および当該データのデータサイズを示す記述を放送より受信し、この当該データの計算機ネットワーク上における配置とデータサイズに基づいて当該データを計算機ネットワークの回線を介して取得するのに要する通信コストを求めるコスト算出手段と、放送を介してデータを提供するデータ提供者が放送する、放送を介して提供する，上記計算機ネットワークの回線を介して提供されるデータと同一のデータに関する付加情報である、当該データの識別子と関連付けられた当該データの放送チャンネル，および放送時間を示す情報を受信し、この付加情報に基づいて当該データを放送より取得するのに要する時間を求める時間算出手段と、上記コスト算出手段が求めた通信コストと上記時間算出手段が求めた所要時間に基づいて上記データを計算機ネットワークの回線を介して取得するか放送より取得するかを決定するデータ受信経路決定手段とを備えたものである。
【００１２】
　また、第３の発明によるデータ受信装置は、上記第２の発明において、上記データ受信経路決定手段が、データ利用者との対話形式でデータ受信経路を決定するものである。
【発明の効果】
【００１３】
　第１の発明によれば、データ提供者が提供するデータを、データ利用者が計算機ネットワークの回線または放送を介して受信装置で受信して取得するデータ送受信システムにおいて、放送を介してデータを提供するデータ提供者が、放送を介して提供するデータに関し、当該データの識別子と関連付けられた当該データの放送チャンネル，および放送時間を示す情報をデータの付加情報として放送し、かつ計算機ネットワークの回線を介して提供されるデータに関し、当該データの識別子と関連付けられた当該データの計算機ネットワーク上における配置を示す記述を放送し、計算機ネットワークの回線を介してデータを提供するデータ提供者が、計算機ネットワークの回線を介して提供するデータに関し、当該データの識別子と関連付けられた当該データの計算機ネットワーク上における配置を示す記述を計算機ネットワークの回線上に送出し、かつ放送を介して提供されるデータに関し、当該データの識別子と関連付けられた当該データの提供者を示す情報を計算機ネットワークの回線上に送出するものとしたから、データ利用者が、複数の種類の異なる伝送メディアを複合的に利用して、より効率よくデータを取得でき、またデータ提供者にとっては伝送メディアを効率的に使用することができる、データ送受信方法を実現できる効果がある。
【００１４】
　また、第２の発明によれば、データ提供者が提供するデータを、計算機ネットワークの回線または放送を介して受信可能なデータ受信装置において、放送を介してデータを提供するデータ提供者が放送する、計算機ネットワークの回線を介して提供されるデータに関する情報である、当該データの識別子と関連付けられた当該データの計算機ネットワーク上における配置，および当該データのデータサイズを示す記述を放送より受信し、この当該データの計算機ネットワーク上における配置とデータサイズに基づいて当該データを計算機ネットワークの回線を介して取得するのに要する通信コストを求めるコスト算出手段と、放送を介してデータを提供するデータ提供者が放送する、放送を介して提供する，上記計算機ネットワークの回線を介して提供されるデータと同一のデータに関する付加情報である、当該データの識別子と関連付けられた当該データの放送チャンネル，および放送時間を示す情報を受信し、この付加情報に基づいて当該データを放送より取得するのに要する時間を求める時間算出手段と、上記コスト算出手段が求めた通信コストと上記時間算出手段が求めた所要時間に基づいて上記データを計算機ネットワークの回線を介して取得するか放送より取得するかを決定するデータ受信経路決定手段とを備えた構成としたから、データ利用者が、複数の種類の異なる伝送メディアを複合的に利用して、より効率よくデータを取得でき、データ取得に伴う負担を低減できる効果がある。
【００１５】
　また、第３の発明によれば、上記第２の発明において、上記データ受信経路決定手段が、データ利用者との対話形式でデータ受信経路を決定するようにしたから、データ利用者がデータ取得にかかる時間と費用を判断して、複数の種類の異なる伝送メディアを複合的に利用し、より効率よくデータを取得でき、データ取得に伴う負担を低減できる効果がある。
【発明を実施するための最良の形態】
【００１６】
　実施の形態１．
　図１は本発明の第１の実施の形態によるデータ送受信システムにおいてデータ提供者から送信される，提供データに関する記述を示す図である。また、図６は本実施の形態１によるデータ送受信システムを用いて構成された、データ提供者と、データ利用者の端末装置間の情報伝達網の構造を示す図である。本実施の形態１によるデータ送受信システムは、図６(a)に示すようにデータ提供者（送信側）が単一である場合であっても、図６(b)に示すようにデータ提供者が放送局と通信サービス提供者のように複数ある場合であっても適用できるものである。データ提供者（送信側）が単一である場合とは、たとえば、ディジタルテレビジョン放送の放送局（放送ネットワーク）が計算機ネットワークの通信サービス提供者（いわゆるプロバイダ）の役割をも果たしているような場合である。以下の説明において、計算機ネットワークの回線（公衆電話回線等）を介してデータを提供するデータ提供者を通信データ提供者、ディジタルテレビジョン放送を介してデータを提供するデータ提供者を放送データ提供者として説明するが、図５(a)の形態においては、これら通信データ提供者，放送データ提供者は同一の者である。
【００１７】
　図１(a)は本実施の形態１によるデータ送受信システムにおいて、通信データ提供者から計算機ネットワークの回線（公衆電話回線等）で送出される，データの配置の記述を示し、図１(a) iが計算機ネットワークの回線を介して提供されるデータの計算機ネットワーク上のデータの配置の記述であり、図１(a)iiがディジタルテレビジョン放送を介して提供されるデータ番組の放送上の配置情報（どの放送ネットワークのどのチャンネルを介して提供されるかの情報）の記述である。また、図１(b)は本実施の形態１によるデータ送受信システムにおいて、放送データ提供者からディジタルテレビジョン放送で通常の番組やデータ番組に多重化して送信される，データの付加情報記述を示し、図１(b) iがディジタルテレビジョン放送を介して提供されるデータ番組の付加情報記述（番組記述）であり、図１(b) iiが計算機ネットワークの回線を介して提供されるデータの計算機ネットワーク上のデータの配置の記述を含む付加情報記述である。
【００１８】
　図１(a) i に示すネットワーク上のデータの配置の記述は、接続先の計算機のネットワーク上のアドレスまたはアクセスポイントを示す電話番号と、データの階層を最上位から順に示すディレクトリと、データのＩｄやリンクのＩｄ，あるいはファイル名を示すデータＩｄとを含む。また、図１(b) i に示すデータ番組に関する付加情報記述は、データ（データ番組，以下番組とも記す）の番組Ｉｄと、そのデータ番組の番組名，番組説明，キーワード，データ種，データサイズ等を示す番組記述と、このデータ番組が階層構造においてどこに属するかを示す親ノードＩｄと、データ番組の放送チャンネル，及び時間情報を示すデータ番組の配置情報とを含む。ここで、時間情報としては、データ番組が一定周期で放送されるものである場合、周期の起点，周期，および起点から実際の放送時刻がどれだけずれているかを示すオフセット時間が記述される。
【００１９】
　また、図７は本実施の形態１によるデータ送受信システムにおいて、放送により提供されるデータに関して放送信号中に多重化して送信される付加情報を説明するための図である。本実施の形態１によるデータ送受信システムにおける、ディジタルテレビジョン放送によるデータ放送では、提供するデータをその種類に基づいて階層的に整理し、その階層構造および相互関係を示す情報をデータ番組の付加情報として多重化して放送する。図７(a)はこの付加情報を示し、これは階層構造中の途中の位置（ノード）の内容，およびこのノードと他のノードとの関係を示すノード記述と、階層構造中の最下位ノードに配置される実際のデータ（番組）の内容，およびそのデータ（番組）の放送上の配置情報を示す番組記述とを含む。図７(b)はノード記述の具体的構成を示す図であり、図に示すように、ノード記述は、ノードを特定するためのノードＩｄ、ノード名，ノード説明，キーワード，参照先情報等を記述したノード記述欄、当該ノードのひとつ上位のノードを示す親ノードＩｄ、当該ノードのひとつ下位にあるノードの数を示す子ノードＩｄ数、および、この子ノードＩｄのリストを含む。図７(c)は番組記述の具体的構成を示す図であり、図に示すように、番組記述は、データ（番組）を特定するための番組Ｉｄ、番組名，番組説明，キーワード，データ種，データサイズ等を記述した番組記述欄、当該番組のひとつ上位のノードを示す親ノードＩｄ、および、データ（番組）の放送チャンネル，及び時間情報を示すデータ番組の配置情報とを含む。この時間情報としては、データ番組が一定周期で放送されるものである場合、周期の起点，周期，および起点から実際の放送時刻がどれだけずれているかを示すオフセット時間が記述される。従って、この時間情報のうちの“周期”の情報から所望するデータが長くてもどれだけ待てば放送から取得することができるかという期待値を知ることができ、また、“周期”の情報，“周期の起点”の情報，および“オフセット時間”の情報から、所望するデータを次に放送から取得することができる時刻を正確に知ることができる。図１(b)のi に示す付加情報記述は、この番組記述である。
【００２０】
　また、図８(a)は本実施の形態１によるデータ送受信システムにおいて、放送により提供されるデータの階層構造の一例を示す図である。図８(a)において、ｎ１はルートノード（最上位ノード）であり、ｎ２，ｎ３，ｎ４はノードｎ１の子ノードである。ノードｎ２は子ノードｎ５，ｎ６，ｎ７を、ノードｎ４は子ノードｎ１１，ｎ１２，ｎ１３を持つが、これらの子ノードは最下位のノードであり、データ（番組）が配置されている。ノードｎ３は子ノードｎ８，ｎ９，ｎ１０を持ち、これらの子ノードｎ８，ｎ９，ｎ１０がそれぞれ３つの子ノードを持つ。ノードｎ８の子ノードｎ１４，ｎ１５，ｎ１６、ノードｎ９の子ノードｎ１７，ｎ１８，ｎ１９、およびノードｎ１０の子ノードｎ２０，ｎ２１，ｎ２２はいずれも最下位のノードであり、データ（番組）が配置されている。図８(a)に示すような階層構造でデータを提供する場合に送信される付加情報の記述について説明する。たとえば、ノードｎ３のノード記述としては、ノードＩｄの欄にノードｎ３を識別するためのＩｄが記述され、ノード記述の欄にノードｎ３のノード名等が記述される。ノード記述の欄にはノードｎ３のノード名の他に、参照先情報として、たとえばノードｎ２，ｎ４のように親ノード，子ノード以外のノードであってノードｎ３に関連のあるノードのノードＩｄが記述される場合もある。また、親ノードＩｄの欄にはノードｎ３の親ノードであるノードｎ１を識別するためのＩｄが記述される。子ノードＩｄ数の欄にはノードｎ３の子ノードはノードｎ８，ｎ９，ｎ１０の３つであるので、この数が記述される。そして、子ノードＩｄリストの欄にノードｎ８，ｎ９，ｎ１０を識別するためのＩｄが列記される。データ（番組）が配置されるノードｎ５〜ｎ７，ｎ１１〜ｎ１３，およびｎ１４〜ｎ２２についてはノード記述のかわりに図７(c)の番組記述が与えられる。各ノードは階層構造中での距離に応じてセグメントに分割され、受信装置側では、このセグメント単位で付加情報を取得し、データ利用者が選択操作するためのメニューを作成して表示する。図８(a)に示す階層構造は図中の破線で囲まれた各々のセグメントに分割され、この各々のセグメントにセグメントを識別するためのセグメントＩｄが付され、ノード，番組の記述にはそれぞれそのノード，番組がどのセグメントに含まれるかを示すタグが付される。付加情報は、このセグメント毎にまとめられて、図８(b)に示すように特定のセグメントＩｄと、そのセグメントに属するノード記述及び番組記述を集めた形で送信される。受信側では、付加情報全体を受信・解析せずとも、必要なセグメントのみを取得すれば、求める情報を得ることが可能である。図９は受信装置の画面上に表示されるメニュー画面の一例を示す図である。
【００２１】
　メニューを用いた検索では、階層構造を親子関係と相互参照関係によってたどる。距離に応じたセグメント分割により、セグメントにまたがって付加情報を取得し直す機会が少なくなるという効果がある。検索による移動先が同じセグメント内であれば、付加情報の再取得は不要であり、セグメントが移動したときのみ、移動先のノードが属するセグメントを取得し直す。
【００２２】
　本実施の形態１によるデータ送受信システムでは、計算機ネットワークの回線を介して提供されるデータと同一のデータが放送によっても提供される場合や参照すべきデータが放送を介して提供されるデータである場合、通信データ提供者は、計算機ネットワークの回線を介して、ディジタルテレビジョン放送を介して提供されるデータ番組の放送上の配置の情報、すなわち、当該データ番組がどの放送局（放送ネットワーク）のどのチャンネルで提供されるかを示す情報として、図１(a)iiに示すような記述を送出する。図に示すように、アドレスの項目に放送局（放送ネットワーク）のＩｄ，またはこれに加えて放送チャンネルのＩｄが記述され、データＩｄの項目には放送を介して提供されるデータ番組のデータ（番組）のＩｄが記述される。また、放送を介して提供されるデータと同一のデータがネットワーク回線を介しても提供される場合や参照すべきデータがネットワーク回線を介して提供されるデータである場合、放送データ提供者は、放送を介して、ネットワーク回線を介して提供されるデータのＩｄ（リンクＩｄ）、およびこのデータのネットワーク上の配置の情報を示すリンク情報を記述した、図１(a)iiに示すようなデータ付加情報記述を送出する。ここで、データのネットワーク上の配置の情報を示すリンク情報としてはアドレス，およびディレクトリが記述される。
【００２３】
　図２は本実施の形態１によるデータ送受信システムにおいて用いられるデータ受信装置の構成を示す図であり、図において２１はディジタルテレビジョン放送を受信する放送受信部、２２は受信部２１で受信された多重化信号を通常の番組信号，データ番組信号，および付加情報信号に分離する非多重化部である。２３は公衆電話回線等を介して計算機ネットワークと接続して通信をおこなう通信制御部、２５は非多重化部２２から出力される付加情報信号，および通信制御部２３からのデータ等を記憶する記憶手段、２７は非多重化部２２から出力される通常の番組信号に基づいて番組を表示し、非多重化部２２から出力されるデータ番組信号に基づいてデータを表示し、また記憶手段の記憶内容に基づいて作成されるデータのメニューを表示する提示手段である。２４は非多重化部２２，通信制御部２３，および記憶手段２５を制御する制御手段である。制御手段２４は非多重化部２２から出力される付加情報信号を記憶手段２５に格納し、格納された付加情報信号等に基づいて、提示手段２７で表示されるデータのメニューを作成し、またデータ利用者による入力手段２６からの入力に応じて、表示されるメニューの内容を切り換える等の動作を行なう。
【００２４】
　図３ないし図５は本実施の形態１によるデータ送受信システムにおいて用いられるデータ受信装置の動作フローを示すフローチャート図である。以下、本実施の形態１によるデータ受信装置の動作を、これら図３ないし図５に沿って説明する。
【００２５】
　まず、放送を介してデータを取得するフローを図３に沿って説明する。入力手段２６からの入力等により、ルートノード（最上位ノード）または特定のノードのＩｄの指定することによってデフォルト受信チャンネル，受信チャンネル決定基準が設定されて初期設定（ステップＳ１）がなされ、ステップＳ２において初期設定のチャンネルが放送であるかネットワークであるかが判断され、放送であるときは指定チャンネルを受信し（ステップＳ３）、付加情報を取得する（ステップＳ４）。ステップＳ２において初期設定のチャンネルがネットワークであると判断されたときはネットワーク受信の動作に移行する。ステップＳ５において得られた付加情報がデータ（番組）記述，ノード記述，リンク記述のいずれであるかを判断し、データ（番組）記述であると判断したときはその配置情報を取得し（ステップＳ６）、その配置情報に基づいてチャンネルを設定し（ステップＳ７）、放送中からデータを取得し（ステップＳ８）、動作を終了する。ステップＳ５において付加情報がリンク記述であると判断したときは、このリンク情報を記憶手段２５に記憶し（ステップＳ９）、受信チャンネルをネットワークに設定して（ステップＳ１０）、ネットワーク受信の動作に移行する。また、ステップＳ５において付加情報がノード記述であると判断したときは次ノード選択処理に移行する。次ノード選択処理においては、ノード記述に基づいて、たとえば図９に示すような子ノードＩｄのリストを示すメニュー，または情報Ｉｄデータのリスト（データ番組リスト）を示すメニューを提示手段２７に表示し（ステップＳ１１）、データ利用者の選択入力を受け付ける（ステップＳ１２）。データ利用者による選択操作（ステップＳ１３）が頁の切り替えであるときはステップＳ１１に戻って、表示されなかったリストを含む別のメニューを提示手段２７に表示する。ステップＳ１３でのデータ利用者による選択操作が関連情報の要求である場合はノード記述欄に記述された参照先情報を取得し（ステップＳ１５）、提示手段２７に参照先情報を表示して（ステップＳ１６）、データ利用者の選択入力を受け付ける（ステップＳ１７）。データ利用者は提示手段２７に表示された参照先情報を見て、参照先のノードに移行することを望むときは表示された参照先情報のいずれかのアイテムを選択し、参照先のノードに移行することを望まないときは参照先情報の表示の解除を選択する（ステップＳ１８）。ステップＳ１８での選択が表示解除であるときは、そのままステップＳ１１に戻り、もとのメニューが表示される。ステップＳ１８でアイテムが選択されたときは、参照先のノードＩｄが選択，設定され（ステップＳ１９）、ステップＳ１１に戻り、参照先のノードＩｄに対応するノード記述に基づいて作成されたメニューが提示手段２７に表示される。ステップＳ１３でのデータ利用者による選択操作がノードの選択、すなわち上位ノードへの移行、あるいはリスト中の項目の選択であるときは、ステップＳ２０に移行し、選択ノードが親ノードであるとき、すなわち上位ノードへの移行であるときは親ノードを設定して（ステップＳ２１）、ステップＳ３に戻り、選択ノードが子ノードであるとき、すなわちリスト中の項目の選択であるときは選択された子ノードを設定して（ステップＳ２２）、ステップＳ３に戻る。データ利用者は、以上のステップを繰り返すことにより階層構造を辿って所望するデータを放送を介して取得することができ、また所望するデータがネットワーク回線を介して提供されるものである場合は、ネットワーク受信の動作に移行することができる。
【００２６】
　次に、ネットワークの回線を介してデータを取得するフローを図４に沿って説明する。初期設定（ステップＳ１）のチャンネルが放送であるかネットワークであるかがステップＳ２において判断され、放送であるときは図３のステップＳ２に移行し、初期設定のチャンネルがネットワークであると判断されたときはネットワーク接続がなされ（ステップＳ３）、アドレス，およびディレクトリに基づいて検索を行ない（ステップＳ４）、データＩｄに対応する情報を取得する（ステップＳ５）。そして取得した情報がデータ情報であるかリンク情報であるかの判別を行ない（ステップＳ６）、データ情報である場合はステップＳ７においてデータを取得し、動作を終了する。ステップＳ６で取得した情報がリンク情報であると判断したときは、データ利用者の選択処理を受け付け（ステップＳ８）、選択されたリンク先のアドレスに基づいてこれがネットワーク回線を介して提供されるデータであるか放送を介して提供されるデータであるかを判断し（ステップＳ９）、ネットワーク回線を介して提供されるデータであると判断したときはステップＳ４に戻って、アドレス，およびディレクトリに基づいて検索を行なう。ステップＳ９で放送を介して提供されるデータであると判断したときは、そのディレクトリとデータＩｄを記憶手段２５に記憶して（ステップＳ１０）、受信チャンネルを放送に設定し（ステップＳ１１）、図３のステップＳ２に移行する。データ利用者は、以上のステップを繰り返すことにより所望するデータをネットワーク回線を介して取得することができ、また所望するデータが放送を介して提供されるものである場合は、放送受信の動作に移行することができる。
【００２７】
　次に、特定の情報（データ）が、放送，ネットワーク回線の両方で提供されている場合に何れの経路でデータを取得するかの選択処理を行なう動作を図５に沿って説明する。
【００２８】
　ステップＳ１で選択処理動作を開始すると、まず取得を所望するデータが放送を介して提供されるデータであるか否かが判断される（ステップＳ２）。ここで放送を介して提供されるデータに関する付加情報は随時放送されているものであるので、この付加情報を記憶しておき、この記憶内容を検索することにより取得を所望するデータが放送を介して提供されるデータであるか否かを判断できるものである。ステップＳ２において取得を所望するデータが放送中には存在しないと判断されたときは、ネットワークを受信してデータを取得し（ステップＳ３）動作を終了する。ステップＳ２において取得を所望するデータが放送中に存在する判断されたときは、当該データの配置情報を取得する（ステップＳ４）とともに、その番組記述よりデータのサイズを取得する（ステップＳ５）。次に、ステップＳ６において放送からのデータ取得の負担を計算する。この計算は、上記配置情報のうちの時間に関する情報、すなわち、データの放送の周期の起点，周期，および起点から実際の放送時刻がどれだけずれているかを示すオフセット時間に基づいて、取得を所望するデータが放送から取得できるまでに要する時間を求めることができるので、この待ち時間をＴB として、これに所定の係数ｆを掛けたｆ（ＴB ）を放送からのデータ取得の負担ＣB とする。次に、ステップＳ７においてネットワークからのデータ取得の負担を計算する。この計算は、上記データサイズを通信レートで割ることより通信時間を求めることができるので、この通信時間をＴN として、これよる接続費，通信費をＰN として、これらの要素に、アクセスすれば待ち時間なくデータを取得できるという所定の利得の係数ｇを掛けたｇ（ＴN ，ＰN ）をネットワークからのデータ取得の負担ＣN とする。そして、ステップＳ８において放送からのデータ取得の負担ＣB とネットワークからのデータ取得の負担ＣN を比較し、ＣB ＞ＣN であるときは放送を受信してデータを取得して（ステップＳ９）動作を終了し、ＣB ＜ＣN であるときはネットワークを受信してデータを取得して（ステップＳ１０）動作を終了する。以上のような選択処理により、データ利用者は、放送からのデータ取得の負担とネットワークからのデータ取得の負担とのトレードオフを考慮した効率的なデータ取得が可能となる。
【００２９】
　なお、本実施の形態１では、放送からのデータ取得の負担とネットワークからのデータ取得の負担を予め設定した基準に基づいて計算し、比較することによってデータ取得経路の選択を行なう構成としたものについて説明したが、通信コストと待ち時間の優先度をデータ利用者が自由に設定できる構成としてもよく、また、データ取得経路の選択をデータ利用者との対話形式で行なう構成としてもよい。
【００３０】
　また、本実施の形態１では、テレビジョン放送によるデータ放送が、テレビジョン放送により提供されるデータをその内容に応じて階層的に整理し、その階層情報をデータ（番組）の付加情報として放送で送信するようにしたものである場合に適用したものについて説明したが、本発明のデータ送受信システムは、テレビジョン放送によるデータ放送が、テレビジョン放送により提供されるデータの付加情報として当該データ（番組）の放送チャンネル，時間情報のみを放送で送信するものである場合にも適用することができる。この場合、図３の放送によるデータ受信のフローのステップＳ５で、付加情報の種別がノードである場合がなく、データ（番組）であるかリンク情報であるかの２種類のうちの何れかの動作が実行される。
【産業上の利用可能性】
【００３１】
　本発明のデータ送受信システムは、種類の異なる伝送メディアより、データを取得するメディアを選択することができるので、効率よくデータを取得でき、データ取得に伴う負担を軽減することができるため、有用である。
【図面の簡単な説明】
【００３２】
【図１（ａ）】本発明の実施の形態１によるデータ送受信システムにおいてデータ提供者から送信される，提供データに関する記述を示す図である。
【図１（ｂ）】本発明の実施の形態１によるデータ送受信システムにおいてデータ提供者から送信される，提供データに関する記述を示す図である。
【図２】本発明の実施の形態１によるデータ送受信システムにおいて用いられるデータ受信装置の構成を示す図である。
【図３】本発明の実施の形態１によるデータ送受信システムにおいて用いられるデータ受信装置の動作フローを示すフローチャート図である。
【図４】本発明の実施の形態１によるデータ送受信システムにおいて用いられるデータ受信装置の動作フローを示すフローチャート図である。
【図５】本発明の実施の形態１によるデータ送受信システムにおいて用いられるデータ受信装置の動作フローを示すフローチャート図である。
【図６（ａ）】本発明の実施の形態１によるデータ送受信システムを用いて構成された、データ提供者と、データ利用者の端末装置間の情報伝達網の構造を示す図である。
【図６（ｂ）】本発明の実施の形態１によるデータ送受信システムを用いて構成された、データ提供者と、データ利用者の端末装置間の情報伝達網の構造を示す図である。
【図７（ａ）】本発明の実施の形態１によるデータ送受信システムにおいて、放送により提供されるデータに関して放送信号中に多重化して送信される付加情報を説明するための図である。
【図７（ｂ）】本発明の実施の形態１によるデータ送受信システムにおいて、放送により提供されるデータに関して放送信号中に多重化して送信される付加情報を説明するための図である。
【図７（ｃ）】本発明の実施の形態１によるデータ送受信システムにおいて、放送により提供されるデータに関して放送信号中に多重化して送信される付加情報を説明するための図である。
【図８（ａ）】本発明の実施の形態１によるデータ送受信システムにおいて、放送により提供されるデータの階層構造の一例を示す図である。
【図８（ｂ）】本発明の実施の形態１によるデータ送受信システムにおいて、放送により提供されるセグメントテーブルの一例を示す図である。
【図９】本発明の実施の形態１によるデータ送受信システムにおいて、データ放送を受信した受信装置が表示画面上に表示する選択メニュー画面の一例を示す図である。
【符号の説明】
【００３３】
２１　　　放送受信部
２２　　　非多重化部
２３　　　通信制御部
２４　　　制御手段
２５　　　記憶手段
２６　　　入力手段
２７　　　提示手段
【図１（ａ）】
2004120749.tif 000003
【図１（ｂ）】
2004120749.tif 000004
【図２】
2004120749.tif 000005
【図３】
2004120749.tif 000006
【図４】
2004120749.tif 000007
【図５】
2004120749.tif 000008
【図６（ａ）】
2004120749.tif 000009
【図６（ｂ）】
2004120749.tif 000010
【図７（ａ）】
2004120749.tif 000011
【図７（ｂ）】
2004120749.tif 000012
【図７（ｃ）】
2004120749.tif 000013
【図８（ａ）】
2004120749.tif 000014
【図８（ｂ）】
2004120749.tif 000015
【図９】
2004120749.tif 000016